(57)【要約】 【課題】構成が簡単で低コストな収納観覧席を提供する。【解決手段】収納式観覧席１は、複数の椅子１０と、椅子１０を固定する複数段の床台２０と、背駆動機構３０とを備える。椅子１０は、背１１と座１２とを有している。背駆動機構３０は、背１１の内面に固定される一対の背駆動部３１と、背駆動部３１の回動を支え回動支点となる主軸３２と、背駆動部３１を回動させる一対の背回動部材３３と、背回動部材３３を回動させる主回転部材３４と、主回転部材３４を回動させるシャフト３５と、シャフト３５を駆動させるアクチュエータ４０と、背回動部材３３を下方から支持する支持部材５０とを備える。背駆動機構３０による背１１の使用位置と収納位置との移動を可能とし、背駆動機構３０の背回動部材３３の第２端部３３ｂと支持部材５０との支持により床台２０が安定する。【選択図】図４
2020056225.tif 000002
【特許請求の範囲】
【請求項１】
階段状の展開位置と、上下に重なる収納位置との間で移動可能な複数段の床台と、
前記床台の前端部にその前端部から前方へ突出して設けられた座と、その座の後方位置にて前記床台の前端部上に、起立した使用位置と後方へ倒れた収納位置との間で起倒可能に設けられた背と、を有する椅子と、
前記背を前記使用位置と前記収納位置との間で移動させる背駆動機構と、
を備える収納式観覧席であって、
前記背駆動機構が、
前記背の下端部に連結された第１端部と、前記使用位置において前記第１端部よりも下方に位置する第２端部を少なくとも有し、前記背を前記使用位置と前記収納位置との間で回動させる背回動部材と、
前記背及び前記座が設けられた床台に対して一段下の床台に設けられ、前記使用位置において前記第２端部に接触して下方から支持する支持部材と、
前記背回動部材を回動させるアクチュエータと、を備える、
収納式観覧席。
【請求項２】
請求項１に記載の収納式観覧席であって、
前記第２端部には回転可能なローラーが設けられる、
収納式観覧席。
【請求項３】
請求項１に記載の収納式観覧席であって、
前記第２端部には高さを調節可能な脚部が設けられる、
収納式観覧席。
【請求項４】
請求項１から３のいずれか１項に記載の収納式観覧席であって、
前記背の下方には主回転部材が設けられ、
前記背回動部材において、前記第１端部と前記第２端部の間に設けられた連結部が、前記主回転部材の回転中心から所定距離だけ離間した部分に連結される、
収納式観覧席。
【請求項５】
請求項４に記載の収納式観覧席であって、
前記主回転部材が外周縁にギア部を有する主回転ギアであり、
前記アクチュエータに接続されたシャフトのギアと前記主回転ギアが嵌合する、
収納式観覧席。
【請求項６】
請求項１から５のいずれか１項に記載の収納式観覧席であって、
前記支持部材が、前記一段下の床台における前記背の直下から鉛直方向に延びた支持柱であり、前記使用位置において前記支持柱の頂部に前記第２端部が載置される、
収納式観覧席。
【発明の詳細な説明】
【技術分野】
【０００１】
本発明は、収納式観覧席に関する。
【背景技術】
【０００２】
会場、体育館などの建物内の壁側に複数の観覧席（椅子）を収納し、必要に応じて出して椅子を並べることができる収納式観覧席が知られている（特許文献１）。
【０００３】
特許文献１は、背の使用位置でロックする第１リンクと、第１リンクに連結されアクチュエータで回動する第２リンクを備える収納式観覧席であり、着座の際等に背に大きな力が加わった場合でも背が予期せず倒れてしまうことを防止することが開示されている。
【先行技術文献】
【特許文献】
【０００４】
【特許文献１】特許第４９１４９０３号公報
【発明の概要】
【発明が解決しようとする課題】
【０００５】
特許文献１は、背を使用位置と収納位置との間で回動させているが、背に近い床部分を支える床台ロック部材駆動機構も必要となり構造が複雑になるという課題がある。
【０００６】
本発明は、構成が簡単で低コストな収納観覧席を提供することを目的とする。
【課題を解決するための手段】
【０００７】
本発明の収納式観覧席は、階段状の展開位置と、上下に重なる収納位置との間で移動可能な複数段の床台と、前記床台の前端部にその前端部から前方へ突出して設けられた座と、その座の後方位置にて前記床台の前端部上に、起立した使用位置と後方へ倒れた収納位置との間で起倒可能に設けられた背と、を有する椅子と、前記背を前記使用位置と前記収納位置との間で移動させる背駆動機構と、備える収納式観覧席であって、前記背駆動機構が、前記背の下端部に連結された第１端部と、前記使用位置において前記第１端部よりも下方に位置する第２端部を少なくとも有し、前記背を前記使用位置と前記収納位置との間で回動させる背回動部材と、前記背及び前記座が設けられた床台に対して一段下の床台に設けられ、前記使用位置において前記第２端部に接触して下方から支持する支持部材と、前記背回動部材を回動させるアクチュエータと、を備える。
【０００８】
本発明の収納式観覧席の一態様として例えば、前記第２端部には回転可能なローラーが設けられる。
【０００９】
本発明の収納式観覧席の一態様として例えば、前記第２端部には高さを調節可能な脚部が設けられる。
【００１０】
本発明の収納式観覧席の一態様として例えば、前記背の下方には主回転部材が設けられ、前記背回動部材において、前記第１端部と前記第２端部の間に設けられた連結部が、前記主回転部材の回転中心から所定距離だけ離間した部分に連結される。
【００１１】
本発明の収納式観覧席の一態様として例えば、前記主回転部材が外周縁にギア部を有する主回転ギアであり、前記アクチュエータに接続されたシャフトのギアと前記主回転ギアが嵌合する。
【００１２】
本発明の収納式観覧席の一態様として例えば、前記支持部材が、前記一段下の床台における前記背の直下から鉛直方向に延びた支持柱であり、前記使用位置において前記支持柱の頂部に前記第２端部が載置される。
【発明の効果】
【００１３】
本発明の収納式観覧席は、背の下端部に背駆動機構が設け、背駆動機構を下方から支持する支持部材を一段下の床台に設ける構成により、余分な突出部分が無くなり全体がコンパクト化され、床台を背駆動機構を介して支持することで、背駆動機構の多目的化が図れ、無駄のない簡素化された構成を実現することができる。
【図面の簡単な説明】
【００１４】
【図１】本発明に係る収納式観覧席の一例を示し、（ａ）展開位置における平面図、（ｂ）展開位置における側面図、（ｃ）収納位置における側面図。
【図２】（ａ）図１（ｂ）のＡ部を拡大した簡略図、（ｂ）図１（ｃ）のＢ部を拡大した簡略図。
【図３】本発明に係る収納式観覧席の展開位置における椅子３つの正面透視図。
【図４】本発明に係る収納式観覧席の背及び背駆動機構の第１実施形態の一例の動作を示す模式図、（ａ）展開位置、（ｂ）収納位置。
【図５】図４の背駆動機構の動作を示す模式図、（ａ）展開位置、（ｂ）収納位置。
【図６】背が収納位置から展開位置に遷移する際の背駆動機構の動作を示し、（ａ）収納位置、（ｂ）遷移途中位置、（ｃ）展開位置。
【図７】展開位置における背駆動機構の配置状態を示す図であり、（ａ）背駆動機構の拡大図、（ｂ）収納式観覧席の図。
【図８】本発明に係る収納式観覧席の背及び背駆動機構の第２実施形態の一例の動作を示す模式図、（ａ）展開位置、（ｂ）収納位置。
【発明を実施するための形態】
【００１５】
以下、本発明に係る収納式観覧席の好適な実施形態を、図１〜図６に基づいて詳述する。
【００１６】
図１は、本発明に係る収納式観覧席の一例を示し、（ａ）は展開位置における平面図、（ｂ）は展開位置における側面図、（ｃ）は収納位置における側面図である。図２は、図１の収納式観覧席であり、（ａ）は図１（ｂ）のＡ部を拡大した簡略図、（ｂ）は図１（ｃ）のＢ部を拡大した簡略図である。図１及び図２に基づいて、収納式観覧席の概要を説明する。
【００１７】
本実施形態の収納式観覧席１は、複数の椅子１０と、椅子１０を固定する複数段の床台２０と、背駆動機構３０とを備える。椅子１０は、背駆動機構３０により起倒可能に設けられる背１１と観客などが座る座１２とを有している。
【００１８】
図１（ａ）、（ｂ）及び図２（ａ）に示されるように、会場、体育館等の建物内にて観客が使用できる状態に椅子が並べられ、複数の床台２０が段をなした階段状となる状態を展開位置、特に背１１が起立した状態を使用位置、図２（ｂ）に示されるように、背１１が倒れた状態及び図１（ｃ）に示されるように各床台２０が上下に重なるように配置され、建物内の側壁に設けられた収納部１００に収納された状態を収納位置と定義する。
【００１９】
椅子１０は、各床台２０の前端部２１に固定され、座１２は前端部２１の前方に突出して設けられ、背１１は座１２の後方位置において、前端部２１上で起立した使用位置と後方に倒れた収納位置との間で起倒可能に設けられている。そして、背駆動機構３０は、背１１の下端部１１ａに配置され、背１１を使用位置と収納位置との間で移動可能としている。当該移動とは、背１１が起立状態と倒れ状態との間の動きであり、支点を中心とした回動でもある。
【００２０】
本実施形態の収納式観覧席１は、各床台２０の下面に梁材２が固定され、梁材２は、床台２０の後端部２２に設けられた貫材３に固定されている。床台２０は、貫材３を介して貫材３の後面に固定された図示しない脚部材により片持ち状態で支持する支持構体を有しており、当該支持構体の下端部に配置される走行ローラーにより、収納式観覧席１が移動可能である。
【００２１】
各床台２０の前端部２１には、開口を下向きにした断面コ字状のフレーム４が固定され、フレーム４内に背駆動機構３０が収納されている。フレーム４の上面には椅子１０の肘掛け１３が固定され、肘掛け１３に回動自在に座１２が取り付けられている。隣接同士の椅子１０は、肘掛け１３で連結されているため、椅子１０同士の結合力が強く、安定した状態が維持され、観客等が安心して着席が可能である。
【００２２】
図３は、収納式観覧席の展開位置における椅子３つの正面透視図である。図４は、収納式観覧席の背及び背駆動機構の第１実施形態の一例の動作を示す模式図で、（ａ）は展開位置（使用位置）、（ｂ）は収納位置である。図５は、図４の背駆動機構の動作を示す模式図で、（ａ）は展開位置（使用位置）、（ｂ）は収納位置である。図３から図５に基づいて、背駆動機構３０の第１実施形態を詳述する。
【００２３】
背駆動機構３０は、背１１の内面に固定される一対の背駆動部３１と、背駆動部３１の回動を支え回動支点となる主軸３２と、背駆動部３１を回動させる一対の背回動部材３３と、背回動部材３３を回動させる主回転部材３４と、主回転部材３４を回動させるシャフト３５と、シャフト３５を駆動させるアクチュエータ４０と、背回動部材３３を下方から支持する支持部材５０とを備える。
【００２４】
本実施形態の背駆動部３１は金属から形成され、断面Ｌ字形状を呈する第１背駆動部３１ａと、第１背駆動部３１ａの一端に固定され、背１１の下端部１１ａの内面と直接固定される角形状で強度のある第２背駆動部３１ｂとを有し、第１背駆動部３１ａの第２背駆動部３１ｂが固定された一端と対向する他端は、背１１の回転中心となる主軸３２と連結されている。主軸３２は、フレーム４から上方に突出し一対をなす突出部５に設けられている。
【００２５】
突出部５、主軸３２及び背駆動部３１は、背１１の内部に形成された開口部１１ｂに収納されている。これにより、背駆動機構３０の上部が背１１から突出すること無く、コンパクトに収納できる。
【００２６】
背回動部材３３は、一枚の金属板からなり、背駆動部３１と連結軸３１ｃを介して連結する第１端部３３ａと、第１端部３３ａと反対側に位置する第２端部３３ｂとを有し、第２端部３３ｂには、回転可能なローラー３６が設けられている。背回動部材３３は、第１端部３３ａと第２端部３３ｂの間に連結部３７が設けられ、連結部３７は、主回転部材３４の回転中心Ｏから所定距離Ｄだけ離間した部分で主回転部材３４の側面に連結され、主回転部材３４に回動に連動して大きく回動することが可能である。
【００２７】
アクチュエータ４０は、例えばモータなどであり、シャフト３５と連結し、アクチュエータ４０の駆動をシャフト３５に伝達している。アクチュエータ４０は、個々の背駆動機構３０に備えられていてもよく、複数の背駆動機構３０を同時に動かす機構であってもよい。図３に示される実施形態では、一の椅子１０の下端にアクチュエータ４０が配置され、アクチュエータ４０は、複数の椅子１０を横断するように配置されたシャフト３５に連動し、複数の背駆動機構３０を同時に駆動している。
【００２８】
本実施形態ではシャフト３５の外周縁に設けられたシャフトのギア３５ａと主回転部材３４の外周縁に設けられたギア部３４ａが嵌合して、シャフト３５の回転を主回転部材３４に伝達している。主回転部材３４とシャフト３５とが嵌合することにより、背１１に力が加わっても、背１１が倒れること無く安定した着席が可能である。当該嵌合方式は、ギアに限らずベルト式、チェーン式、磁力式などであっても良い。
【００２９】
支持部材５０は、椅子１０の下方に設けられている背駆動機構３０が設置される床台２０の段の一段下の床台２０の当該椅子１０の下方に固定され、背１１の真下から鉛直方向に延びた支持柱であり、使用位置において当該支持部材（支持柱）５０の頂部５１に第２端部３３ｂが載置される。尚、説明を分かりやすくするために、図４では、椅子１０の背１１及び座１２が設けられた床台を符号２０、一段下の床台の符号を２０ａ（２０）で表している。
【００３０】
背駆動機構３０は、椅子１０の下端部１１ａのフレーム４内に配置されるため、椅子１０の前後に突出すること無く、また、背１１の外面に取付部が突出することが無いため、床台２０、特に観客などの通路スペースを広く取ることができる。
【００３１】
以下、背駆動機構３０の動作について詳述する。
【００３２】
アクチュエータ４０が駆動すると、アクチュエータ４０に接続されたシャフト３５が回転し、シャフト３５の外周縁に設けられたシャフトのギア３５ａと主回転部材３４の外周縁に設けられたギア部３４ａが嵌合し、シャフト３５の回転が主回転部材３４に伝達され、主回転部材３４が回動する。主回転部材３４が回転中心Ｏを中心として回転し、主回転部材３４に連結された連結部３７が同時に回転する。
【００３３】
背１１を使用位置から収納位置に配置したい場合（図４及び図５の（ａ）から（ｂ）を参照）、背回動部材３３の第１端部３３ａを上方に移動させるように主回転部材３４を回転させる（図４及び図５では時計回りの回転）。主回転部材３４の回転に連動する連結部３７の主回転部材３４の回転中心Ｏを中心とする回転に伴い、第１端部３３ａが上方に移動し、第１端部３３ａが上方に移動すると主軸３２を中心に押し上げられるように背駆動部３１が回転する。
【００３４】
第１端部３３ａの上方への移動に対し、背駆動部３１は、第１端部３３ａと連結軸３１ｃで回転自在に連結されているため、主軸３２を中心とした回転がスムーズに行われる。また、第１端部３３ａの側面と第１背駆動部３１ａの内面とが当接した状態での回転により、回転の動きが安定する。
【００３５】
背駆動部３１の回転により、第２背駆動部３１ｂが倒れるように動くため、第２背駆動部３１ｂに固定された背１１が倒れて、背１１が収納位置に位置付けされる。
【００３６】
背１１を収納位置から使用位置に配置したい場合（図４及び図５の（ｂ）から（ａ）を参照）、背回動部材３３の第１端部３３ａを下方に移動させるように主回転部材３４を回転させる（図４及び図５では反時計回りの回転）。主回転部材３４の回転に連動する連結部３７の主回転部材３４の回転中心Ｏを中心とする回転に伴い、第１端部３３ａが下方に移動し、第１端部３３ａが下方に移動すると主軸３２を中心に引っ張られるように背駆動部３１が回転する。
【００３７】
第１端部３３ａが、連結軸３１ｃを引っ張るように移動して、背駆動部３１が立ち上がり、背駆動部３１に固定された背１１が起立する。第１端部３３ａの移動に追従して、第２端部３３ｂが下方に移動し、最下点に達すると同時に第２端部３３ｂに設けられたローラー３６が支持部材５０に載置する（図４（ａ）参照）。即ち、支持部材５０は、第２端部３３ｂに接触して第２端部３３ｂを下方から支持している。ローラー３６により位置の誤差、変動を吸収可能としている。
【００３８】
図６は、背１１が収納位置から使用位置（展開位置）に遷移する際の背駆動機構３０の動作を示している。図６（ａ）の収納位置（図５（ｂ）と同じ）から、遷移途中位置を示す図６（ｂ）に示す様にシャフト３５が矢印Ａ方向に回転し（時計回りの回転）、これに連動してシャフト３５に嵌合した主回転部材３４が矢印Ｂ方向に回転する（反時計回りの回転）。そして、主回転部材３４の回転に連動する連結部３７の移動とともに背回動部材３３が回動し、第１端部３３ａが下方に移動する。さらに背回動部材３３の第１端部３３ａにて連結軸３１ｃを介して接続した背駆動部３１が、主軸３２を中心に引っ張られるように矢印Ｃ方向に回転する（反時計回りの回転）。この結果、図６（ｃ）の使用位置（図５（ａ）と同じ）になる。
【００３９】
床台２０は、床台２０に設けられた支持部材５０と１段上に設けられた背回動部材３３とによる支持と、床台２０に設けられた背回動部材３３と一段下の床台２０ａに設けられた支持部材５０との支持の２つの支持により、観客などの移動や着座などによる床台２０の振動等を吸収し、使用位置における安心、安定感を保持することができる。
【００４０】
支持部材５０による支持を説明したが、フレーム４の上方に突出する高さを調整可能な突起部６を設け、連結軸３１ｃを載置することにより、ローラー３６の停止位置を調整でき、より精度の良い位置調整を行うことができる。
【００４１】
図７は、使用位置（展開位置）における背駆動機構３０の配置状態を示す説明図である。図７（ａ）は図５（ａ）及び図６（ｃ）と同じ図であるが、背駆動部３１の連結軸３１ｃと主回転部材３４の回転中心Ｏを仮想的に結んで延長した延長線Ｌ１が追加されている。ここで、背回動部材３３の連結部３７は、その中心Ｐが延長線Ｌ１上ではなく、より使用位置に遷移する際に回転する方向に沿って進んだ方向に位置している。具体的には、主回転部材３４の回転中心Ｏと連結部３７の中心Ｐを結ぶ延長線Ｌ２が、延長線Ｌ１から見て角度θの分だけ、主回転部材３４の回転方向（図６（ｂ）の矢印Ｂ方向）に位置している。
【００４２】
このような配置状態により、たとえ観客などが座１２に座り、背１１にもたれかかっても、背１１の位置を安定的に維持することが可能となる。すなわち、観客などが背１１にもたれかかると、図７（ｂ）に示すように背１１を更に倒そうとするＸ方向の回転力が発生する。もし、連結部３７の中心Ｐが延長線Ｌ１上（または図７（ａ）において更に左側）に存在する場合、背回動部材３３を介してＸ方向の回転力が連結部３７に伝わり、主回転部材３４ともどもＸ方向に回転する力により、背１１がＸ方向に倒れてしまうのを助長してしまうおそれがある。
【００４３】
しかしながら、連結部の中心Ｐは延長線Ｌ２上にあり、連結部には図７（ｂ）に示す様なＸ方向と逆向きのＹ方向の力がかかることになる。さらに、支持部材（支持柱）５０の頂部５１からは矢印Ｃ方向の効力が発生している。この結果、たとえ観客などが座１２に座り、背１１にもたれかかっても、背回動部材３３は安定して直立した状態を維持することができる。
【００４４】
本実施形態の収納式観覧席１は、背駆動機構３０により背１１を使用位置と収納位置に位置づけることができ、背駆動機構３０が背の周辺などに突出することが無く椅子１０の見栄えが良好であり、かつコンパクトにフレーム４内に収納され、一段下の床台２０ａに配置された支持部材５０により、背回動部材３３を介して床台２０が安定する。また、背駆動機構３０に背１１の回動と、床台２０の支持との機能を持たせることにより、構成が簡素化され、低コストで、作業性の良い収納式観覧席１を提供できる。
【００４５】
図８は、収納式観覧席の背及び背駆動機構の第２実施形態の一例の動作を示す模式図で、（ａ）は展開位置（使用位置）、（ｂ）は収納位置である。図８に基づいて、背駆動機構３０の第２実施形態を説明する。
【００４６】
第２実施形態では、第１実施形態の第２端部３３ｂに設けられるローラー３６が、高さを調整可能な脚部３８である。その他の構成に関しては、第１実施形態と同じであるため説明を省略する。支持部材５０は、第２端部３３ｂに接触して第２端部３３ｂを下方から支持し、脚部３８により位置の誤差、変動を吸収可能としている。
【００４７】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００４８】
本発明に係る収納式観覧席は、背の使用位置と収納位置の移動が容易にでき、床台も安定する簡素化した構成を要求する分野に適用可能である。
【符号の説明】
【００４９】
１  収納式観覧席
２  梁材
４  フレーム
５  突出部
１０  椅子
１１  背
１１ａ  下端部
１１ｂ  開口部
１２  座
１３  肘掛け
２０  床台
２１  前端部
２２  後端部
３０  背駆動機構
３１  背駆動部
３２  主軸
３３  背回動部材
３３ａ  第１端部
３３ｂ  第２端部
３４  主回転部材
３５  シャフト
３６  ローラー
３７  連結部
３８  脚部
４０  アクチュエータ
５０  支持部材（支持柱）
５１  頂部
【図１】
2020056225.tif 000003
【図２】
2020056225.tif 000004
【図３】
2020056225.tif 000005
【図４】
2020056225.tif 000006
【図５】
2020056225.tif 000007
【図６】
2020056225.tif 000008
【図７】
2020056225.tif 000009
【図８】
2020056225.tif 000010